【手続補正書】
【提出日】平成15年8月7日(2003.8.7)
【手続補正１】
【補正対象書類名】明細書
【補正対象項目名】特許請求の範囲
【補正方法】変更
【補正の内容】
【特許請求の範囲】
【請求項１】
茶樹畝を跨ぐ門型フレームで構成される車体本体と、
上記車体本体に連結され畝間を走行するクローラ型の走行装置と、
上記車体本体に対し上下動可能に配設され、少なくとも、上記茶樹畝の頂面の半分を覆うことができる長さの摘採部と、摘採された茶葉を後方へ送り込む送風手段とを有した摘採装置と、
上記摘採装置の後方に配設され、上記摘採装置により圧送された茶葉を収容する収容体を搭載すると共に上記摘採装置に連動して上下動可能な荷台と、
上記門型フレームのうちで後方に位置する門型フレーム上方に支持され、摘採茶葉が収容された収容体を上記荷台上から移し換えて搭載可能な荷受部材と、を具備していることを特徴とする簡易式乗用型茶葉摘採機。
【請求項２】
上記荷台は、茶畝方向に長い構成とされ、かつ上記摘採装置後方にヒンジ結合し、該荷台を上記摘採装置の前方側に向かって折り畳み可能にしたことを特徴とする簡易式乗用茶葉摘採機。
【請求項３】
上記摘採装置は、上記門型フレーム間にて上記車体本体の走行方向に沿って配置された連結フレームに対し縦方向に立設されている昇降フレームに設けられている駆動源により昇降自在に設けられていることを特徴とする請求項１又は２記載の簡易式乗用型茶葉摘採機。
【手続補正２】
【補正対象書類名】明細書
【補正対象項目名】０００４
【補正方法】変更
【補正の内容】
【０００４】
【発明が解決しようとする課題】
ところで、上述した軌道レール式及び乗用型の茶葉摘採機のいずれも利点はあるものの、以下に述べるような欠点もある。
まず、軌道レール式の茶葉摘採機の場合、簡易な機器構成のため機器本体は比較的安価になるが、畝間全部に軌道レールを敷設しなければならず、その分の費用がかかり、結果として高価なものとなってしまう。そのため、レールを敷設する面積の少ない小規模，中規模の茶園では、そのメリットを十分に発揮するが、大規模程度の茶園では、レール敷設コストがかかり、このシステムを導入できないといった問題点がある。しかも、レールを敷設した場合には、耕耘作業や肥料散布等の茶園管理作業の際にレールが邪魔になり、茶園管理を維持することに障害がでる虞がある。


【手続補正３】
【補正対象書類名】明細書
【補正対象項目名】０００９
【補正方法】変更
【補正の内容】
【０００９】
【課題を解決するための手段】
上記の目的を達成するため、請求項１記載の発明は、茶樹畝を跨ぐ門型フレームで構成される車体本体と、上記車体本体に連結され畝間を走行するクローラ型の走行装置と、上記車体本体に対し上下動可能に配設され、少なくとも、上記茶樹畝の頂面の半分を覆うことができる長さの摘採部と、摘採された茶葉を後方へ送り込む送風手段とを有した摘採装置と、上記摘採装置の後方に配設され、上記摘採装置により圧送された茶葉を収容する収容体を搭載すると共に上記摘採装置に連動して上下動可能な荷台と、上記門型フレームのうちで後方に位置する門型フレーム上方に支持され、摘採茶葉が収容された収容体を上記荷台上から移し換えて搭載可能な荷受部材と、を具備していることを特徴としている。


【手続補正４】
【補正対象書類名】明細書
【補正対象項目名】００１０
【補正方法】変更
【補正の内容】
【００１０】
請求項２記載の発明は、上記荷台は、茶畝方向に長い構成とされ、かつ上記摘採装置後方にヒンジ結合し、該荷台を上記摘採装置の前方側に向かって折り畳み可能にしたことを特徴としている。


【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
【作用】
請求項１記載の発明では、摘採装置の荷台を摘採作業位置より所要の高さ位置に上昇させると、荷台と荷受部材との間の段差が接近する。この荷受け部材は、摘採茶葉で満杯となった収容体が荷台上から移し換えて搭載されるように構成されている。これにより、従来の摘採機と違って摘採茶葉を収容する大型の収容装置を準備する必要がなく、装置構造を大型なものとしないで円滑な走行による摘採を含めた茶園管理が良好に行えるようになる。しかも、茶葉で満杯となった収納袋を交換する際の乗降動作が削減されるため、作業者の負担が大幅に軽減される。
【手続補正７】
【補正対象書類名】明細書
【補正対象項目名】００１４
【補正方法】変更
【補正の内容】
【００１４】
請求項２記載の発明では、荷台は、茶畝方向に長く、かつ摘採装置後方にヒンジ結合して摘採装置の前方側に向かって折り畳み可能に構成されている。これにより、長い茶袋等の収容体を荷台に搭載することが可能となり多くの茶葉が収容されるので、従来の摘採機と違って大型の収容装置を準備する必要がなく、装置構造を大型なものとしないで円滑な走行による摘採を含めた茶園管理が良好に行えるようになる。さらに、茶畝間を移動するときには、ヒンジ結合部にて荷台を摘採装置の前方側に向かって折り畳めるので、狭い所でも旋回ができるようになる。


【手続補正８】
【補正対象書類名】明細書
【補正対象項目名】００１７
【補正方法】変更
【補正の内容】
【００１７】
車体本体２は、車体の前後に配設される門型フレーム２１，２２と、該門型フレーム２１，２２の間において車体の幅方向両端にそれぞれ配設される昇降フレーム２３と、門型フレームのうちで車体前側に位置する門型フレーム２１の一部をなす乗車板２４とで構成されている。
車体前側に位置する門型フレーム２１は、車体後側に位置する門型フレーム２２よりも高さが低くされ、乗車板２４に対する作業者の乗降労力を軽減するようになっている。
門型フレーム２１、２２間には車体本体２の走行方向に沿って連結フレーム２５が設けられている。連結フレーム２５は、図２に示すように、車体前側に位置する門型フレーム２１から後方に向け延長される途中が段差部とされて車体後側の門型フレーム２２との高さが整合されており、その途中には、摘採装置４を昇降ガイドするための縦フレームからなる昇降フレーム２３の一部が固定されている。
門型フレーム２１、２２は、茶樹畝を跨いだ状態での剛性を確保できる材質おおよび形状に設定されている。
乗車板２４は、作業者が乗車した際の曲げ剛性を確保できる板材で構成されており、上面には作業者が座る操縦席２６と操縦席２６の前方に位置する操縦部２７と手すり用フレーム２８とが設けられている。
乗車板２４の近傍には、連結フレーム２５の前側上面に取り付けられているエンジン６０と、車体前側の門型フレーム２１に取り付けられている油圧タンク６１とが配置されている。油圧タンク６１は、オイルポンプへの油供給部材として用いられる。
連結フレーム２５には、昇降フレーム２３の頂部に対応する位置に後述する摘採装置４の昇降体を駆動するための昇降モータ（便宜上、符号４８を用いる）が配置され、さらにその昇降モータ４８の後方には、支柱部材２５Ａおよびエンジン用のバッテリー２９がそれぞれ固定されている。昇降モータ４８は、上記した昇降フレーム２３の頂部に限るものではなく昇降フレーム２３の適宜な位置に配置すること勿論可能であり、さらに、昇降フレーム２３の両方あるいは一方にのみ設けることも可能である。


【手続補正９】
【補正対象書類名】明細書
【補正対象項目名】００２８
【補正方法】変更
【補正の内容】
【００２８】
一方、荷台５上で満杯になっている収容体は、荷台５上で開口端部が取り外されると荷受部材６上に搭載され、荷受部材６あるいは車体本体２で荷受け部材以外の箇所に準備されている新たな収容体を摘採装置４に取り付けて摘採作業を再開する。
荷受部材６上での収容体の搭載量が限界に達した場合には、収容体の回収作業が行われる。
回収作業は、走行装置３を停止した状態で作業者が荷受部材６に有するブラケット６Ａ１のうち、支柱部材２５Ａ（図４参照）側のブラケット６Ａ１を持上げることで、図１中、二点鎖線で示すように、底枠６Ａが符号φで示す角度で傾斜した状態となるように荷受部材６を傾け、搭載されている収容体を落下させる。この際には、係止ピン６Ｄを抜くことで荷受部材６のブラケット６Ａ１と車体本体側との係合が解除される。このような回収作業は、茶樹畝から枕地に移動した時に行うのが好ましい。
また、回収作業時、荷受部材６を傾けることにより収容体の自然落下だけでなく、可動側枠６Ｃ（図４参照）を揺動させて車体の側方に引き摺り落とすことも可能である。可動側枠６Ｃは、茶園での作業時には収容体を搭載できる角度に設定すればよいが、例えば、道路に出て茶園間を移動する場合もあるので、その場合には、図１において符号Ｐ１で示すように、垂直あるいは底枠６Ａに対して鋭角となるように揺動位置を決めて拡幅しないようにすることができる。
そして茶畝を旋回移動する際に、特に旋回スペースが狭い場合には、シリンダ５２のプランジャ５２Ａを収縮させて副荷台５Ａを略垂直状態に折り畳んで次の茶畝に移動する。旋回移動は枕地で行われるので、このとき、先に述べた回収作業を行っておけば、荷受部材６を車体本体２から取り外すことで、副荷台５Ａと荷受部材６との干渉が防止され、副荷台５Ａを略垂直状態に折り畳みやすくなり、副荷台５Ａが後方に張り出す距離を短くして旋回半径を小さくすることができる。


【手続補正１０】
【補正対象書類名】明細書
【補正対象項目名】００３０
【補正方法】変更
【補正の内容】
【００３０】
【発明の効果】
以上説明したように、請求項１記載の発明によれば、摘採装置の荷台を摘採作業位置より所要の高さ位置に上昇させると、荷台と荷受部材との間の段差が接近する。この荷受け部材は、摘採茶葉で満杯となった収容体が荷台上から移し換えて搭載されるように構成されている。これにより、従来の摘採機と違って摘採茶葉を収容する大型の収容装置を準備する必要がなく、装置の大型化を防止して円滑な走行による摘採作業を含めた茶園管理が適正且つ良好に行うことが可能となる。しかも、茶葉で満杯となった収納袋を交換する際の乗降動作が削減されるため、作業者の負担を大幅に軽減することができる。
【手続補正１１】
【補正対象書類名】明細書
【補正対象項目名】００３１
【補正方法】変更
【補正の内容】
【００３１】
請求項２記載の発明によれば、荷台は茶畝方向に長く、かつ摘採装置後方にヒンジ結合して摘採装置の前方側に向かって折り畳み可能とされている。これにより、長い茶袋等の収容体を荷台に搭載することが可能となり多くの茶葉が収容されるので、従来の摘採機と違って大型の収容装置を準備する必要がなく、装置構造を大型なものとしないで円滑な走行による摘採作業を含めた茶園管理を良好に行うことが可能となる。その上、茶畝間を移動するときには、ヒンジ結合部にて荷台を摘採装置の前方側に向かって折り畳むことができるため、狭い所でも旋回ができて使い勝手が向上する。この結果、大量の茶葉の摘採作業を可能になると共に、実際の摘採作業時での機動性を向上させることが可能になる。